(57)【特許請求の範囲】
【請求項１】
指示されたジョブを実行する周辺機器と、前記周辺機器と通信する情報処理装置とを含む周辺機器制御システムにおいて、
前記周辺機器は、前記ジョブに設定された複数の設定内容及び排紙枚数を含む履歴情報を蓄積する履歴情報蓄積手段を備え、
前記情報処理装置は、前記履歴情報蓄積手段により蓄積された前記履歴情報を前記周辺機器から取得する履歴情報取得手段と、
前記履歴情報取得手段により取得した前記履歴情報のうち前記複数の設定内容を１つの動作モードとして、当該動作モード毎に動作モード別排紙カウンタ表に記憶する記憶手段とを備えることを特徴とする周辺機器制御システム。
【請求項２】
前記動作モードは、前記ジョブに設定された紙サイズ、片面／両面の印刷モード、トナー色、及び紙種のうちの少なくとも２つの設定内容に対応する動作モードであることを特徴とする請求項１記載の周辺機器制御システム。
【請求項３】
前記周辺機器は、前記情報処理装置から送信された前記履歴情報取得ジョブを受け付けるジョブ受付手段と、
前記ジョブ受付手段により受け付けた前記履歴情報取得ジョブに応じて前記蓄積した履歴情報を送信する送信手段とを備えることを特徴とする請求項１又は２記載の周辺機器制御システム。
【請求項４】
前記周辺機器は、前記履歴情報蓄積手段により蓄積した前記履歴情報の蓄積量を前記情報処理装置へ通知する通知手段を備えることを特徴とする請求項１乃至３のいずれか１項に記載の周辺機器制御システム。
【請求項５】
前記通知手段は、前記蓄積量が所定量に達したとき前記情報処理装置に通知することを特徴とする請求項４記載の周辺機器制御システム。
【請求項６】
前記周辺機器は、プリンタ、コピー、ファクシミリ、及びスキャナの各機能の少なくとも１つを含むことを特徴とする請求項１乃至５のいずれか１項に記載の周辺機器制御システム。
【請求項７】
周辺機器により実行されるジョブに設定された複数の設定内容及び排紙枚数を含む履歴情報を当該周辺機器から取得する履歴情報取得手段と、
前記履歴情報取得手段により取得した前記履歴情報のうち前記複数の設定内容を１つの動作モードとして、当該動作モード毎に動作モード別排紙カウンタ表に記憶する記憶手段とを備えることを特徴とする情報処理装置。
【請求項８】
前記動作モードは、前記ジョブに設定された紙サイズ、片面／両面の印刷モード、トナー色、及び紙種のうちの少なくとも２つの設定内容に対応する動作モードであることを特徴とする請求項７記載の情報処理装置。
【請求項９】
前記周辺機器に蓄積された前記履歴情報を取得するための履歴情報取得ジョブを前記周辺機器に送信する送信手段と、前記送信手段により送信された履歴情報取得ジョブに応じて前記周辺機器から前記履歴情報を受信する受信手段とを備えることを特徴とする請求項７又は８記載の情報処理装置。
【請求項１０】
前記受信手段は、前記周辺機器から前記履歴情報の蓄積量を受信することを特徴とする請求項９記載の情報処理装置。
【請求項１１】
前記周辺機器は、前記履歴情報の蓄積量が所定量に達したときは前記情報処理装置へ通知する通知手段を備えることを特徴とする請求項１０記載の情報処理装置。
【請求項１２】
前記周辺機器は、プリンタ、コピー、ファクシミリ、及びスキャナの各機能の少なくとも１つを含むことを特徴とする請求項７乃至１１のいずれか１項に記載の情報処理装置。
【請求項１３】
周辺機器により実行されるジョブに設定された複数の設定内容及び排紙枚数を含む履歴情報を当該周辺機器から取得する履歴情報取得工程と、
前記履歴情報取得工程にて取得した前記履歴情報のうち前記複数の設定内容を１つの動作モードとして、当該動作モード毎に動作モード別排紙カウンタ表に記憶する記憶工程とを備えることを特徴とする情報処理方法。
【請求項１４】
前記動作モードは、前記ジョブに設定された紙サイズ、片面／両面の印刷モード、トナー色、及び紙種のうちの少なくとも２つの設定内容に対応する動作モードであることを特徴とする請求項１３記載の情報処理方法。
【請求項１５】
前記周辺機器に蓄積された前記履歴情報を取得するための履歴情報取得ジョブを前記周辺機器に送信する送信工程と、前記送信工程にて送信された履歴情報取得ジョブに応じて前記周辺機器から前記履歴情報を受信する受信工程とを備えることを特徴とする請求項１３又は１４記載の情報処理方法。
【請求項１６】
前記受信工程は、前記周辺機器から前記履歴情報の蓄積量を受信することを特徴とする請求項１５記載の情報処理方法。
【請求項１７】
前記履歴情報の蓄積量が所定量に達したときは前記周辺装置から前記情報処理装置へ通知する通知工程を更に備えることを特徴とする請求項１６記載の情報処理方法。
【請求項１８】
前記周辺機器は、プリンタ、コピー、ファクシミリ、及びスキャナの各機能の少なくとも１つを含むことを特徴とする請求項１３乃至１７のいずれか１項に記載の情報処理方法。
【発明の詳細な説明】
【０００１】
【発明の属する技術分野】
本発明は、周辺機器と、該周辺機器にネットワークを介して接続された情報処理装置とで構成される周辺機器制御システム、情報処理装置及び方法に関する。
【０００２】
【従来の技術】
プリンタ、スキャナ、ファクシミリ、コピー機等の周辺機器及びそれらの機能を含む複合機において、その使用者（ユーザ）毎又は使用した部門毎にプリントした枚数をカウントし、毎月１回集計等を行ってユーザ毎又は部門毎に課金する機能や、予めユーザ毎に設定されたプリント枚数の使用上限に達したとき、周辺機器の使用を制限する機能が知られている。
【０００３】
また、周辺機器にネットワークを介して接続された情報処理装置（ホストコンピュータ、ワークステーション等）から周辺機器に対して、情報処理装置側にある文書をプリントさせるジョブ（命令）を発行する機能や、ユーザ毎のプリント枚数のデータを取得するジョブを発行して周辺機器からプリント枚数のデータを取得し、情報処理装置のアプリケーションプログラム（制御プログラム）により周辺機器を使用したユーザ毎のプリント枚数を集計管理する機能が知られている。
【０００４】
近年は、単にプリント枚数をカウントするだけでなく、Ａ４・Ａ３等の紙サイズ、片面／両面の印刷モード、トナー色、紙種等の動作モード毎のプリント枚数をカウントし、それらの使用状況をユーザ毎にきめ細かく集計管理して課金したいという要望がある。
【０００５】
【発明が解決しようとしている課題】
しかしながら、例えばユーザが１０００人で、用紙サイズが１０種類、プリントモードが片面／両面の２種類、フルカラー／単色カラー／白黒で３種類、紙種が５種類の場合、これらの組合せの数だけカウンタ（記憶領域）を用意しなければならず、１つのカウンタを４バイト（Ｂ）とすると、約１ＭＢ（１０００人×１０種×２種×３種×５種×４Ｂ＝１２０００００Ｂ）の記憶容量（メモリ容量）が必要となる。従って、上述した動作モード毎の情報を周辺機器に記憶させる場合、従来の周辺機器に備えられたメモリ容量では足りず、結果的にメモリを増やして対応しなければならなくなり、コストアップが必要となるという問題があった。
【０００６】
本発明は、周辺機器のメモリ容量を増やすことなく、周辺機器の所定の使用状況をユーザ毎又は動作モード毎に記憶することができる周辺機器制御システム、情報処理装置及び方法を提供することを目的とする。
【０００７】
【課題を解決するための手段】
上記目的を達成するために、請求項１記載の周辺機器制御システムは、指示されたジョブを実行する周辺機器と、前記周辺機器と通信する情報処理装置とを含む周辺機器制御システムにおいて、前記周辺機器は、前記ジョブに設定された複数の設定内容及び排紙枚数を含む履歴情報を蓄積する履歴情報蓄積手段を備え、前記情報処理装置は、前記履歴情報蓄積手段により蓄積された前記履歴情報を前記周辺機器から取得する履歴情報取得手段と、前記履歴情報取得手段により取得した前記履歴情報のうち前記複数の設定内容を１つの動作モードとして、当該動作モード毎に動作モード別排紙カウンタ表に記憶する記憶手段とを備えることを特徴とする。
【０００８】
請求項２記載の周辺機器制御システムは、請求項１記載の周辺機器制御システムにおいて、前記動作モードは、前記ジョブに設定された紙サイズ、片面／両面の印刷モード、トナー色、及び紙種のうちの少なくとも２つの設定内容に対応する動作モードであることを特徴とする。
【０００９】
請求項３記載の周辺機器制御システムは、請求項１又は２記載の周辺機器制御システムにおいて、前記周辺機器は、前記情報処理装置から送信された前記履歴情報取得ジョブを受け付けるジョブ受付手段と、前記ジョブ受付手段により受け付けた前記履歴情報取得ジョブに応じて前記蓄積した履歴情報を送信する送信手段とを備えることを特徴とする。
【００１０】
請求項４記載の周辺機器制御システムは、請求項１乃至３のいずれか１項に記載の周辺機器制御システムにおいて、前記周辺機器は、前記履歴情報蓄積手段により蓄積した前記履歴情報の蓄積量を前記情報処理装置へ通知する通知手段を備えることを特徴とする。
【００１１】
請求項５記載の周辺機器制御システムは、請求項４記載の周辺機器制御システムにおいて、前記通知手段は、前記蓄積量が所定量に達したとき前記情報処理装置に通知することを特徴とする。
【００１２】
請求項６記載の周辺機器制御システムは、請求項１乃至５のいずれか１項に記載の周辺機器制御システムにおいて、前記周辺機器は、プリンタ、コピー、ファクシミリ、及びスキャナの各機能の少なくとも１つを含むことを特徴とする。
上記目的を達成するために、請求項７記載の情報処理装置は、周辺機器により実行されるジョブに設定された複数の設定内容及び排紙枚数を含む履歴情報を当該周辺機器から取得する履歴情報取得手段と、前記履歴情報取得手段により取得した前記履歴情報のうち前記複数の設定内容を１つの動作モードとして、当該動作モード毎に動作モード別排紙カウンタ表に記憶する記憶手段とを備えることを特徴とする。
請求項８記載の情報処理装置は、請求項７記載の情報処理装置において、前記動作モードは、前記ジョブに設定された紙サイズ、片面／両面の印刷モード、トナー色、及び紙種のうちの少なくとも２つの設定内容に対応する動作モードであることを特徴とする。
請求項９記載の情報処理装置は、請求項７又は８記載の情報処理装置において、前記周辺機器に蓄積された前記履歴情報を取得するための履歴情報取得ジョブを前記周辺機器に送信する送信手段と、前記送信手段により送信された履歴情報取得ジョブに応じて前記周辺機器から前記履歴情報を受信する受信手段とを備えることを特徴とする。
請求項１０記載の情報処理装置は、請求項９記載の情報処理装置において、前記受信手段は、前記周辺機器から前記履歴情報の蓄積量を受信することを特徴とする。
請求項１１記載の情報処理装置は、請求項１０記載の情報処理装置において、前記周辺機器は、前記履歴情報の蓄積量が所定量に達したときは前記情報処理装置へ通知する通知手段を備えることを特徴とする。
請求項１２記載の情報処理装置は、請求項７乃至１１のいずれか１項に記載の情報処理装置において、前記周辺機器は、プリンタ、コピー、ファクシミリ、及びスキャナの各機能の少なくとも１つを含むことを特徴とする。
上記目的を達成するために、請求項１３記載の情報処理方法は、周辺機器により実行されるジョブに設定された複数の設定内容及び排紙枚数を含む履歴情報を当該周辺機器から取得する履歴情報取得工程と、前記履歴情報取得工程にて取得した前記履歴情報のうち前記複数の設定内容を１つの動作モードとして、当該動作モード毎に動作モード別排紙カウンタ表に記憶する記憶工程とを備えることを特徴とする。
請求項１４記載の情報処理方法は、請求項１３記載の情報処理方法において、前記動作モードは、前記ジョブに設定された紙サイズ、片面／両面の印刷モード、トナー色、及び紙種のうちの少なくとも２つの設定内容に対応する動作モードであることを特徴とする。
請求項１５記載の情報処理方法は、請求項１３又は１４記載の情報処理方法において、前記周辺機器に蓄積された前記履歴情報を取得するための履歴情報取得ジョブを前記周辺機器に送信する送信工程と、前記送信工程にて送信された履歴情報取得ジョブに応じて前記周辺機器から前記履歴情報を受信する受信工程とを備えることを特徴とする。
請求項１６記載の情報処理方法は、請求項１５記載の情報処理方法において、前記受信工程は、前記周辺機器から前記履歴情報の蓄積量を受信することを特徴とする。
請求項１７記載の情報処理方法は、請求項１６記載の情報処理方法において、前記履歴情報の蓄積量が所定量に達したときは前記周辺装置から前記情報処理装置へ通知する通知工程を更に備えることを特徴とする。
請求項１８記載の情報処理方法は、請求項１３乃至１７のいずれか１項に記載の情報処理方法において、前記周辺機器は、プリンタ、コピー、ファクシミリ、及びスキャナの各機能の少なくとも１つを含むことを特徴とする。
【００１３】
【実施の形態】
以下、図を参照して本発明の実施の形態を説明する。
【００１４】
図１は、本発明に係る周辺機器制御システムの全体を示す構成図である。図１において、複合機１００は、スキャナ、プリンタ、コピー、ファックス機能一体型の複合機であり、ネットワークを介してネットワークサーバ１２、他の周辺機器であるディジタル複写機１３、及びホストコンピュータ１１に接続されている。更に、複合機１００は、公衆回線網を介して他の通信装置に接続されている。なお、複合機１００は図示例に限らず、ディジタル複写機、コピー機能付プリンタ等でもよく、ネットワークに接続された周辺機器の数は、図示例に限られない。
【００１５】
複合機１００は、主にリーダ部１、プリンタ部２、及び画像入出力制御部３で構成されている。リーダ部１は、プリンタ部２及び画像入出力制御部３に接続され、原稿の画像読み取りを行うと共に読み取った画像データをプリンタ部２又は画像入出力制御部３に出力する。プリンタ部２は、リーダ部１及び画像入出力制御部３から出力された画像データを記録紙に印刷する。画像入出力制御部３は、外部のネットワークや公衆回線網と接続し、画像データの入出力を行うと共に、ユーザが複合機１００を使用したときの使用状況の蓄積等を行い、更にネットワークに接続されたホストコンピュータ１１からのジョブ（印刷命令等）の解析及び制御を行う。
【００１６】
画像入出力制御部３は、ファクシミリ部４、ファイル部５、ネットワークインターフェイス部７、ＰＤＬの１種であるＬＩＰＳ（LBP Image Processing System）のＬＩＰＳフォーマッタ部８、ＰＤＬの１種であるポストスクリプトのＰＳフォーマッタ部９、及びコア部１０で構成される。ファクシミリ部４は、コア部１０及び公衆回線網に接続され、公衆回線網から受信した圧縮された画像データの伸長を行い、伸長した画像データをコア部１０へ送信する。また、コア部１０から送信された画像データを圧縮し、圧縮した画像データを公衆回線網を介して送信する。ファイル部５は、コア部１０及び光磁気ディスクを内蔵する光磁気ディスクドライブユニット６に接続され、コア部１０から送信された画像データの圧縮を行い、圧縮した画像データを検索するためのキーワードと共に光磁気ディスクドライブユニット６の光磁気ディスクに記憶させる。更に、ファイル部５は、コア部１０から送信されたキーワードに基づいて光磁気ディスクに記憶されている圧縮画像データを検索した後、その圧縮画像データを読み出して伸長を行い、コア部１０へ送信する。
【００１７】
ネットワークインターフェイス部７は、外部のネットワークを介して接続されたホストコンピュータ１１、デジタル複写機１３、及びネットワークサーバ１２とコア部１０間のインターフェイスである。ホストコンピュータ１１からのジョブ制御データの受信、及び画像データ等のホストコンピュータ１１への送信には、ネットワークインターフェイス部７を介して行う。ジョブ制御データとして、ＰＤＬデータと共に送信されるジョブ制御命令を含み、例えば、ＰＤＬデータを展開して画像データとして印刷した後、ステイプルソートして排紙させるものが挙げられる。ネットワークインターフェイス部７にはＭＩＢ（Management Information Base）と呼ばれるデーターベースが構築されており、ＳＮＭＰ（Simple Network Management protocol）を介してネットワーク上のホストコンピュータ１１と通信し、プリンタ部２の管理が可能となっている。
【００１８】
ＬＩＰＳフォーマッタ部８及びＰＳフォーマッタ部９は、コア部１０に接続され、ホストコンピュータ１１から送信されたＰＤＬデータをプリンタ部２でプリントできる画像データに展開するものである。
【００１９】
コア部１０は、上述したリーダ部１、ファクシミリ部４、ファイル部５、ネットワークインターフェイス部７、ＬＩＰＳフォーマッタ部８、及びＰＳフォーマッタ部９のそれぞれの間を流れるデータ等の制御と共にジョブ制御データの解析を行い、ユーザの使用状況等の蓄積を行う。
【００２０】
ホストコンピュータ１１は、パーソナルコンピュータ又はワークステーション（ＰＣ／ＷＳ）である。ホストコンピュータ１１内の不図示のＣＰＵにおいて、後述する履歴情報取得ジョブにより取得した履歴情報を動作モード別排紙カウンタ表として展開する制御を行い、その展開したものを不図示のハードディスク等の記憶装置に記憶させる。ネットワークサーバ１２は、ネットワーク全体を制御するサーバであり、ディジタル複写機１３は、ファクシミリ機能等を備えたディジタル複写機である。
【００２１】
次に、図１の複合機１００について図２〜図５を参照して説明する。図２は、図１の複合機１００の概略構成を示す断面図である。なお、図２において、符号１０１〜１０９は図１のリーダ部１に対応し、符号１１０〜１６３は図１のプリンタ部２に対応する。
【００２２】
図２において、複合機１００は、上面に循環式自動原稿送り装置（ＲＤＦ）１８９、及び操作部５００を備える。ＲＤＦ１８９下には原稿載置台であるプラテンガラス１０１を配し、スキャナ１０２は原稿照明ランプ１０３、走査ミラー１０４等で構成される。不図示のモータによりスキャナ１０２が所定方向に往復走査され、原稿からの反射光１０７が走査ミラー１０４〜１０６を介しレンズ１０８を透過してＣＣＤセンサ１０９にて結像する。
【００２３】
露光制御部１２０はレーザ、ポリゴンスキャナ等で構成されており、ＣＣＤセンサ１０９で電気信号に変換及び所定の画像処理された画像信号に基づき変調されたレーザ光１２９を感光体ドラム１１０に照射する。感光体ドラム１１０の回りには、１次帯電器１１２、現像器１２１、転写帯電器１１８、クリーニング装置１１６、前露光ランプ１１４が装備されている。画像形成部１２６において、感光体ドラム１１０は不図示のモータにより図に示す矢印の方向に回転しており、１次帯電器１１２により所望の電位に帯電され後、露光制御部１２０からのレーザ光１２９が照射され、静電潜像が形成される。
【００２４】
感光体ドラム１１０上に形成された静電潜像は、現像器１２１により現像されて、トナー像として可視化される。一方、上段カセット１３１又は下段カセット１３２からピックアップローラ１３３，１３４により給紙された転写紙は、給紙ローラ１３５，１３６により本体に送られ、レジストローラ１３７により転写ベルト１３０に給送され、可視化されたトナー像が転写帯電器１１８により転写紙に転写される。転写後の感光体ドラム１１０は、クリーニング装置１１６により残留トナーが清掃され、前露光ランプ１１４により残留電荷が消去される。
【００２５】
転写後の転写紙は、転写ベルト１３０から分離され、定着前帯電器１３９，１４０によりトナーに像が再帯電され、定着器１４１に送られ加圧、加熱により定着され、排紙ローラ１４２により複合機１００本体の外に排出される。
【００２６】
吸着帯電器１３８はレジストローラ１３７から送られた転写紙を転写ベルト１３０に吸着させるものであり、転写ベルトローラ１４３は転写ベルト１３０の回転に用いられると同時に、吸着帯電器１３８と対になって、転写ベルト１３０に転写紙を吸着帯電させるものである。
【００２７】
複合機１００本体には、例えば４０００枚の転写紙を収納できるデッキ１５０が装備されている。デッキ１５０のリフタ１５１は、給紙ローラ１５２に転写紙が常に当接するように転写紙の量に応じて上昇する。また、１００枚の転写紙が収容できるマルチ手差し１５３が装備されている。排紙フラッパ１５４は、両面記録側又は多重記録側のいづれかに排紙側の経路を切り替えるためのものである。排紙ローラ１４２により排出された転写紙は、この排紙フラッパ１５４により両面記録側又は多重記録側のいずれかに切り替えられる。
【００２８】
多重フラッパ１５７は両面記録側と多重記録側の経路を切り替えるものであり、これを左方向に倒すことにより、転写紙を反転パス１５５に介さず、直接搬送パス１５８に導く。給紙ローラ１５９は経路１６０を通じて転写紙を感光体ドラム１１０側に給紙するためのものである。排出ローラ１６１は排紙フラッパ１５４の近傍に配置され、排紙フラッパ１５４により排出側に切り替えられた転写紙を本体外に排出するためのものである。
【００２９】
両面記録（両面複写）時には、排紙フラッパ１５４を上方に上げて、多重フラッパ１５７を右に倒し、複写済みの転写紙を反転パス１５５で介した後、多重フラッパ１５７を左に倒し、搬送パス１５８を介して裏返した状態で再給紙トレイ１５６に格納する。また多重記録（多重複写）時には、排紙フラッパ１５４を上方に上げて、多重フラッパ１５７を左に倒し、複写済みの転写紙を搬送パス１５８で介した後、再給紙トレイ１５６に格納する。再給紙トレイ１５６に格納されている転写紙が、下から１枚ずつ給紙ローラ１５９により経路１６０を介して本体のレジストローラ１３７に導かれる。
【００３０】
複合機１００本体から転写紙を反転して排出（裏面排紙）するときには、排紙フラッパ１５４を上方へ上げ、多重フラッパ１５７を右方向へ倒し、複写済みの転写紙を反転パス１５５側へ搬送し、転写紙の後端が第１の送りローラ１６２を通過した後に、反転ローラ１６３によって第２の送りローラ１６２ａ側へ搬送し、排出ローラ１６１によって転写紙を裏返して本体外へ排出される。
【００３１】
図３は、図１のリーダ部１の構成を示すブロック図である。図３において、ＣＣＤセンサ１０９は、Ａ／Ｄ・ＳＨ部２１０を介して画像処理部２１１に接続され、画像処理部２１１は、インターフェイス部（Ｉ／Ｆ）２１３を介してコア部１０と接続され、更にプリンタ部２とＣＰＵ２１４に接続されている。ＣＰＵ２１４は、メモリ２１６及び操作部５００に接続されている。
【００３２】
ＣＣＤセンサ１０９は、原稿の画像を読み取った画像データをＡ／Ｄ・ＳＨ部２１０に出力する。画像データは、Ａ／Ｄ・ＳＨ部２１０でアナログ／デジタル（Ａ／Ｄ）変換されると共に、シェーディング補正の処理が行われる。処理された画像データは、画像処理部２１１を介してプリンタ部２へ送信されると共に、Ｉ／Ｆ２１３を介して画像入出力制御部３のコア部１０へ送信される。
【００３３】
ＣＰＵ２１４は、ユーザが操作部５００において設定した内容に基づき画像処理部２１１及びＩ／Ｆ２１３の制御を行う。例えば、設定した内容が画像データをトリミング処理した後、複写を実行する複写モードである場合は、ＣＰＵ２１４が画像処理部２１１にて画像データのトリミング処理をさせた後、プリンタ部２へ転送する。また、設定した内容がファックス送信モードである場合、ＣＰＵ２１４が、画像データ及び設定した動作モードに応じた制御コマンドをＩ／Ｆ２１３を介してコア部１０へ転送するための制御を行う。ＣＰＵ２１４の制御プログラムは、メモリ２１６に記憶されており、ＣＰＵ２１４はメモリ２１６を参照しながら各部の制御を行う。また、メモリ２１６はＣＰＵ２１４の作業領域としても使われる。
【００３４】
図４は、図１のコア部１０の構成を示すブロック図である。図４において、Ｉ／Ｆ３２０は、データ処理部３２１に接続され、更に外部のファクシミリ部４、ファイル部５、ネットワークインターフェイス部７、ＬＩＰＳフォーマッタ部８、及びＰＳフォーマッタ部９に接続されている。データ処理部３２１はＩ／Ｆ３２２を介してリーダ部１に接続されている。ＣＰＵ３２３はＩ／Ｆ３２０、データ処理部３２１、及びＩ／Ｆ３２２に接続され、更にメモリ３２４に接続されている。
【００３５】
リーダ部１から入力された画像データは、Ｉ／Ｆ３２２を介してデータ処理部３２１に入り、リーダ部１から入力された制御コマンドはＩ／Ｆ３２２を介してＣＰＵ３２３に入る。データ処理部３２１は、主に画像データの回転処理や変倍処理等の画像処理を行う。データ処理部３２１で処理された画像データは、リーダ部１からの制御コマンドに基づきＩ／Ｆ３２０を介して各ファクシミリ部４、ファイル部５、ネットワークインターフェイス部７へ送られる。
【００３６】
ネットワークインターフェイス部７から入力された画像を表すＰＤＬのコードデータは、Ｉ／Ｆ３２０を介してデータ処理部３２１に送られ、ＬＩＰＳのデータかポストスクリプトのデータかに判別される。この判別結果、コードデータはＬＩＰＳフォーマッタ部８又はＰＳフォーマッタ部９のいずれかに送信され、ビットマップ画像データとして展開される。展開されたビットマップ画像データは、Ｉ／Ｆ３２０を介してデータ処理部３２１に送信され、制御コマンドに基づいてファクシミリ部４へ、又はリーダ部１を介してプリンタ部２へ転送される。
【００３７】
ファクシミリ部４及びファイル部５から出力された画像データは、Ｉ／Ｆ３２０を介してデータ処理部３２１へ送られ、制御コマンドに基づきファイル部５、ネットワークインターフェイス部７へ、リーダ部１を介してプリンタ部２へ転送される。
【００３８】
ＣＰＵ３２３は、メモリ３２４に記憶されている制御プログラム及びリーダ部１から送信された制御コマンドに基づいて上記各部の制御を行う。メモリ３２４は、ＣＰＵ３２３の作業領域としても使われる。
【００３９】
以上のように、コア部１０を中心に原稿画像の読み取り、原稿画像のプリント、画像データの送受信、画像データの保存、ホストコンピュータ１１からの画像データの入出力等の処理の制御を行っている。
【００４０】
図５は、図３の画像処理部２１１の詳細な構成を示すブロック図である。図５において、Ａ／Ｄ・ＳＨ部２１０に接続されたｌｏｇ変換部２５０は、２値化部２５１を介して制御部２５２に接続され、平滑部２５３、γ補正部２５４を介してプリンタ部２に接続されている。制御部２５２は、更に画像記憶部２５５、及びＩ／Ｆ２１３に接続されている。
【００４１】
Ａ／Ｄ・ＳＨ部２１０で処理された画像データは、Ｂｌａｃｋの輝度データとしてｌｏｇ変換部２５０に入力される。ｌｏｇ変換部２５０には、入力された輝度データを濃度データに変換するためのＬＵＴ（Look Up Table：間接的に参照するデータの位置やアドレス等を格納するテーブル）が格納されており、ＬＵＴにおいて輝度データに対応する濃度データのテーブル値を用いて輝度データを濃度データに変換する。多値である濃度データは、２値化部２５１へ送られ、「０」又は「２５５」の数値で２値化される。２値化された８bitの濃度データは、「０」又は「１」の１bitの画像データに変換されるので、メモリ２１６に格納する画像データの量は小さくて済む。２値化部２５１において２値化された濃度データは、制御部２５２に送られる。
【００４２】
濃度データを２値化した場合、画像の階調数が２５６階調から２階調になるため、写真画像のような中間調の多い画像データでは、一般に画像の劣化が著しい。そこで、２値化したデータを擬似的に中間調表現に補正する必要があり、その補正法として誤差拡散法等を行う。誤差拡散法は、画像の濃度が所定のしきい値より大きい場合は「２５５」の濃度データとし、所定のしきい値より小さい場合は「０」の濃度データとして２値化した後、実際の濃度データと２値化したデータとの差分を誤差信号として、回りの画素に配分する方法である。誤差の配分は、予め用意されているマトリクス上の重み係数を２値化によって生じる誤差に対して掛け合わせ、回りの画素に加算することによって行う。これによって、画像全体での濃度平均値が保存され、中間調を擬似的に２値で表現することができる。
【００４３】
ホストコンピュータ１１から送信され、ビットマップ画像データに展開されたＰＤＬデータについては、上述したＬＩＰＳフォーマッタ部８又はＰＳフォーマッタ部９において２値化された濃度データとして変換されているので、そのまま制御部２５２に送られる。
【００４４】
制御部２５２では、ＲＤＦ１８９、プラテンガラス１０１上から読み取られ、Ａ／Ｄ・ＳＨ部２１０を介して送信された原稿の画像データ又はＩ／Ｆ２１３からのＰＤＬを展開したビットマップ画像データを、ＣＰＵ２１４からの指示に基づいて画像記憶部２５５に格納したり、格納した画像データを読み出して出力を行う。
【００４５】
画像記憶部２５５は、ＳＣＳＩコントローラ２５６と記憶装置であるハードディスク（ＨＤ）２５７を備え、ＳＣＳＩコントローラ２５６からの指示に従ってＨＤ２５７に画像データの格納を行う。ＨＤ２５７に格納された複数の画像データは、操作部５００で設定された編集モードに応じた順序でプリントする場合に用いられる。また、ホストコンピュータ１１から送られてくるＰＤＬを先頭ページから逆順にプリントし、且つ電子ソートする場合、すなわち、ＰＤＬデータを変換したビットマップ画像のすべてのページを一旦ＨＤ２５７に格納した後、最終ページから先頭ページの順にＨＤ２５７から順次画像を読み出してプリントを行い、ホストコンピュータ１１から要求された部数分繰り返して電子ソートを行う場合にも用いられる。
【００４６】
画像記憶部２５５から読み出された画像データ、及び画像記憶部２５５に格納しない画像データは平滑化部２５３に送られる。平滑化部２５３では、まず「０」又は「１」の１bitの画像データを８bitのデータに変換し、データの信号を「０」又は「２５５」の状態にする。変換された画像データは、予め決められたマトリクス上の係数と、近傍画素の濃度値をそれぞれ乗算したものの総和で得られる、重み付けされた平均値に置き換えられる。これにより、２値化されたデータは、近傍画素における濃度値に応じた多値の濃度データに変換され、読み取られた画像により近い画質が再現できる。
【００４７】
平滑化された画像データは、γ補正部２５４に入力される。γ補正部２５４では、濃度データを出力する際に、プリンタの特性を考慮したＬＵＴによる変換を行い、操作部５００で設定された濃度値に基づき出力の調整を行う。このように処理された画像はプリンタ部２へ転送され、プリント出力が実行される。
【００４８】
次に、図１の複合機１００の操作部５００における入力操作について図６、図７を参照して説明する。図６は、図１の複合機１００の操作部５００上の液晶表示パネルに表示される初期画面を示す説明図である。この液晶表示パネルの画面はタッチパネルとなっており、表示されている機能の枠内を触れることにより、その機能が実行される。
【００４９】
図６において、初期画面６００は液晶表示パネルの初期画面であり、複合機１００の電源立ち上げ後に表示され、ここでユーザの認証を行う。初期画面６００上のユーザＩＤ入力キー６０１は、ユーザが自分のユーザＩＤを入力するためのものであり、ユーザはキーの枠内をタッチした後、ユーザＩＤを４桁の数値で不図示のテンキーから入力する。暗証番号入力キー６０２は、ユーザが自分の暗証番号を入力するためのものであり、ユーザはキーの枠内をタッチした後、自分のユーザＩＤに対する暗証番号を４桁の数値で不図示のテンキーから入力する。クリアキー６０３は、ユーザＩＤ入力キー６０１又は暗証番号入力キー６０２で入力した数値を取り消したいときにタッチする。ＯＫキー６０４は、ユーザＩＤ入力キー６０１で入力したユーザＩＤと暗証番号入力キー６０２で入力した暗証番号を確定させるためのものである。ＯＫキー６０４にタッチすると入力したユーザＩＤ及び暗証番号を、予めリーダ部１のメモリ２１６に記憶されているユーザＩＤ及び暗証番号の組合せと一致したか否かの照合を行う。この照合の結果、記憶されているユーザＩＤ及び暗証番号の組合せと入力したものとが一致したとき、複合機１００における複写、プリント等を含めたすべての動作が可能となり、後述する図７の基本画面に切り替わる。一致しなかったときは不図示の「認証に失敗しました」等の表示後、図６の初期画面に戻る。このような認証機能を用いることにより、複合機１００の不正使用を防止すると共に、使用したユーザを特定するためのユーザＩＤを取得することができる。
【００５０】
図７は、図６の初期画面においてユーザＩＤ及び暗証番号の認証後に表示される基本画面を示す説明図である。図７において、拡張機能キー５０１は、複写する画像に対してページ連写、両面複写、多重複写、移動、とじ代、枠消し等を設定するためものであり、このキーをタッチするとその設定モードに入る。画像モードキー５０２は、複写する画像に対して網掛け、影付け、トリミング、マスキングを設定するためものである。ユーザモードキー５０３は、ユーザ使用環境の設定、例えばブザーＯＮ／ＯＦＦ、カセットオート選択のＯＮ／ＯＦＦ、自動濃度調整方式等を設定するためのものである。
【００５１】
応用ズームキー５０４は、原稿のＸ方向、Ｙ方向を独立に変倍するモード、及び原稿サイズと複写サイズから変倍率を計算するズームプログラムのモードに入るためのものである。Ｍ１キー５０５、Ｍ２キー５０６、及びＭ３キー５０７は、それぞれに登録されたモードメモリを呼び出す際に押すキーである。登録キー５０８は、それぞれのモードメモリに現在のコピーモードを登録するためのものである。オプションキー５０９は、撮影済みのフィルムから直接複写を行うフィルムプロジェクタ等のオプション機能を設定するためのものである。更に、お好みキーの設定にも使用する。
【００５２】
ソータキー５１０は、メカソータを使用するか、電子ソータを使用するかの設定、及びソータのソートやグループ等のモード設定を行うためのものである。原稿混載キー５１１は、原稿フィーダにＡ４サイズとＡ３サイズの原稿、又はＢ５サイズとＢ４サイズの原稿というように、サイズ違いの原稿を混載してセットした際に用いるものである。等倍キー５１２は、複写倍率を１００％にする際に用いるものである。縮小キー５１４，拡大キー５１５は、定型の縮小、拡大を行う際に用いるものである。ズームキー５１６は拡大縮小の倍率を、例えば２５〜８００％の間で設定するためのものである。用紙選択キー５１３は、複写用紙の選択を行うためのものである。濃度キー５１８，５２０は、複写時の画像濃度を調整するためのものであり、濃度キー５１８を押す毎に濃く複写され、濃度キー５２０を押す毎に薄く複写される。濃度表示５１７は、濃度キー５１８，５２０を押す毎に表示が左右に変化し、ユーザに濃度調整の加減を表示する。ＡＥキー５１９は、新聞のように地肌の濃い原稿を自動濃度調整で複写する際に用いるものである。
【００５３】
ＨｉＦｉキー５２１は、写真原稿のように中間調の濃度が多い原稿の複写の際に用いるものである。文字強調キー５２２は、文字原稿の複写で文字を際だたせたいときに用いるものである。ガイドキー５２３は、キーの機能がわからないときに用いるものであり、そのキーの説明が画面に表示される。コピーキー５２４は複写動作を行うとき用い、このキーが押されると複写動作を開始する。ファックスキー５５は、原稿をファクシミリで送信するときに用いるものである。ファイルキー５２６は、ファィルデータを出力したいときに押すキーである。プリンタキー４２７は、プリントの濃度を変更したり、リモートのホストコンピュータ１１からのＰＤＬ画像データのプリント出力結果を参照したいときに用いるものである。フォーム登録キー５４０は、ＲＤＦにセットされた原稿をフォーム画像として、ＨＤ２５７のフォーム領域に記憶させるときに用いるものである。フォーム合成キー５４１は、ＨＤ２５７のフォーム領域に記憶された複数のフォーム画像を選択し、ＲＤＦにセットされた原稿とＯＲ合成をとり、プリントするときに用いるものである。複写動作を終えたとき、不図示の使用終了キー５５０を押すことによって図６の初期画面に戻り、他のユーザが使える状態になる。
【００５４】
ホストコンピュータ１１から複合機１００にＰＤＬデータを送信しプリントを行う場合は、ホストコンピュータ１１側のモニタ画面等に図６と同じ初期画面を表示し、ユーザＩＤ及び暗証番号を入力させる。入力されたユーザＩＤ及び暗証番号のデータはネットワークを介して複合機１００に送信され、メモリ２１６に記憶しているユーザＩＤ及び暗証番号の組合せと一致したか否かを照合する。複合機１００は、その照合結果をホストコンピュータ１１ヘ送信し、ホストコンピュータ１１は、照合結果により認証されたときＰＤＬデータを複合機１００に送信してプリントを行い、認証されなかったときは送信しないように制御を行う。
【００５５】
このように、複合機１００において、ユーザにより直接複合機１００を使用した場合とホストコンピュータ１１により複合機１００を使用した場合、ユーザが入力したユーザＩＤと、複写、印刷等を行う動作モードの使用状況と、プリント等を行ったときの排紙枚数とを履歴情報として後述する図８に示すようなレコードに集計し、メモリ２１６の所定の領域に蓄積していく。
【００５６】
図８の（ａ）は、図１の複合機１００が記憶する履歴情報の１レコードを示す概略図であり、（ｂ）は、その一例を示す説明図である。図８の（ａ）において、レコード情報７００は、履歴情報としての内容７０１と、内容７０１に割り当てられたバイト数７０２とで構成される。内容７０１には、ユーザが使用したときの時刻を示す発生時刻、使用したユーザのユーザＩＤ、使用した紙サイズ（Ａ３、Ａ４等）、片面プリントか両面プリントかを示す印刷モード、使用したトナー色（白黒、単色カラー、フルカラー）、使用した紙種（普通紙，ＯＨＰ等）、使用した排紙枚数が記録される。また、バイト数７０２には、蓄積に必要なメモリ容量を示す。
【００５７】
図８の（ｂ）は、図８の（ａ）の具体例を示す。図８の（ｂ）において、ユーザＩＤ０００２のユーザが暗証番号を入力して認証に成功し、１９９８年１２月１０日の１３時３５分に、Ａ４サイズ、片面、白黒コピー、普通紙による動作モードで１０枚プリントしたことを示している。このように、履歴情報は、プリンタ部２から出力された紙サイズ、印刷モード、トナー色、紙種、及び排紙枚数を示す信号を画像処理部２１１で受け取り、ＣＰＵ２１４がメモリ２１６内の所定の領域に図８（ａ）のレコード情報７００のフォーマットで記録され、蓄積される。
【００５８】
図９は、図１の複合機１００における履歴情報の送信手順を示すフローチャートである。図９において、ホストコンピュータ１１から履歴情報取得ジョブのコマンド（要求）を受け付けたか否かを判別し（ステップＳ１０１）（ジョブ受付手段）、この要求を受け付けるまでステップＳ１０１を繰り返す。ホストコンピュータ１１から履歴情報取得ジョブを要求を受け付けたとき、履歴情報取得ジョブと共に送信された管理者のＩＤ及び暗証番号の組合せを予めリーダ部１のメモリ２１６に記憶されている管理者のＩＤ及び暗証番号の組合せと照合し、管理者認証を行う（ステップＳ１０２）。これは、システムを管理する管理者以外の不正なアクセスを防止するためである。
【００５９】
次に、ホストコンピュータ１１から入力されたユーザＩＤ及び暗証番号をメモリ２１６に記憶されているものと照合し、照合がＯＫか否かを判別する（ステップＳ１０３）。この判別の結果、照合がＯＫでないときリターンして手順の最初に戻る。一方、照合がＯＫのとき、メモリ２１６に蓄積されている履歴情報が空か否かを判別する（ステップＳ１０４）。この判別の結果、履歴情報が蓄積されていて履歴情報が空でないとき、図８（ａ）で示した１レコード分の履歴情報をリーダ部１のＣＰＵ２１４、画像処理部２１１、コア部１０、及びネットワークインターフェイス部７を介してホストコンピュータ１１に送信する（ステップＳ１０５）（送信手段）。
【００６０】
コア部１０のＣＰＵ３２３では、送信した１レコード分の履歴情報をホストコンピュータ１１が正しく受け取ったか否か、すなわち、ホストコンピュータ１１からＯＫリプライを受けたか否かを判別し（ステップＳ１０６）、ＯＫリプライを受けるまでステップＳ１０５，１０６を繰り返す。
【００６１】
ステップＳ１０６の判別の結果、ＯＫリプライを受けたとき、送信し終わった１レコード分の履歴情報が蓄積されていたメモリ２１６の所定の領域をクリア（消去）し（ステップＳ１０７）、ステップＳ１０４に戻る。
【００６２】
一方、ステップＳ１０４の判別の結果、メモリ２１６に記録されている履歴情報が空になったとき、コア部１０のＣＰＵ３２３が終了コマンドをネットワークインターフェイス部７を介してホストコンピュータ１１の送信し（ステップＳ１０８）、本処理を終了する。
【００６３】
リーダ部１のＣＰＵ２１４は、メモリ２１６に蓄積されている履歴情報のレコード数が８０レコードに達したとき（蓄積可能なメモリ容量の８０％に達したとき）、画像処理部２１１、Ｉ／Ｆ２１３を介してコア部１０のＣＰＵ３２３に通知し、ＣＰＵ３２３は、履歴情報警告イベントとしてネットワークインターフェイス部７を介してホストコンピュータ１１に通知する（通知手段）。
【００６４】
更に、ＣＰＵ２１４は、メモリ２１６に蓄積されている履歴情報のレコード数が１００レコードに達したとき（蓄積可能なメモリ容量が１００％に達したとき）、同様にコア部１０のＣＰＵ３２３に通知し、ＣＰＵ３２３が履歴情報フルイベントとしてネットワークインターフェイス部７を介してホストコンピュータ１１に通知する（通知手段）。なお、ホストコンピュータ１１は、これらの通知を受けたタイミングで複合機１００に履歴情報取得ジョブを送信し、複合機１００から図９に示した手順で履歴情報を取得してもよい。
【００６５】
次に、ホストコンピュータ１１が取得した履歴情報の管理について図１０を参照して説明する。図１０は、図１のホストコンピュータ１１における履歴情報を展開した動作モード別排紙カウンタ表を示す概略図である。図１０において、動作モード別排紙カウンタ表８００は、ユーザＩＤ欄８０１及びカウンタ欄８０２，８０２ａで構成されている。
【００６６】
ユーザＩＤ欄８０１には、１０００人のユーザが０００１〜１０００のユーザＩＤで管理されている。なお、ユーザＩＤの管理数は図示例限られず、ホストコンピュータ１１が装備しているメモリ容量や管理者の設定仕様等によって定まるものとする。カウンタ欄８０２，８０２ａは、動作モード別のカウンタ欄であり、ユーザがＡ４、片面、白黒、普通紙でプリントしたとき、カウンタ欄８０２の「Ａ４、片、白黒、普通」にカウントアップされ、ユーザがＢ５、両面、カラー、ＯＨＰでプリントしたとき、カウンタ欄８０２ａの「Ｂ５、両、カラー、ＯＨＰ」にカウントアップされる。
【００６７】
このようにカウンタ欄は、例えば、紙サイズとしてＡ３、Ａ４、Ａ５、Ｂ４、Ｂ５、ＬＴＲ、ＬＤＲ、ＳＴＭＴ、はがき、封筒の１０種類と、印刷モードとして片面、両面の２種類と、トナー色としてフルカラー、単色カラー、白黒の３種類と、紙種として普通紙、ＯＨＰ、ラベル紙、再生紙、厚紙の５種類とを設定することができ、それら組合せによって１０×２×３×５＝３００種類のカウンタ欄が、カウンタ欄８０２〜８０２ａまでに配されている。なお、ホストコンピュータ１１内に必要とされるメモリ容量は、カウンタ数８０３の１欄分に４バイト使用した場合、ユーザ１０００人×３００種類×４バイト＝１２０００００バイトを必要となる。
【００６８】
カウンタ数８０３は、最上欄のカウンタ欄に記載された動作モードが何回実行されたかをカウントする欄であり、同図ではユーザＩＤ０００２のユーザのＡ４、片面、白黒、普通紙を排紙した枚数が５５枚であることを示している。
【００６９】
履歴情報８０４は、ホストコンピュータ１１が複合機１００から取得した履歴情報の１レコード分であり、図示例ではユーザＩＤ０００２のユーザがＡ４、片面、白黒、普通紙による動作モードで２枚プリント（排紙）したことを示している。ホストコンピュータ１１が履歴情報の１レコード分を取得すると、その履歴情報に対応するカウンタ欄に排紙枚数分を加算する（図示例では、カウンタ数８０３に２を加算するため５５から５７へカウントアップする）。これにより、複合機１００から取得した履歴情報に基づいて動作モード別排紙カウンタ表８００にようなユーザＩＤ毎、動作モード毎の詳細カウンタ表へ展開することができ、ユーザへの課金を効率よく行うことができる。
【００７０】
また、複合機１００に１２０００００バイトの大きなカウンタ表を備えることなく、１００レコード分（約１５００バイト分）の小さな履歴情報のためのメモリエリアを持つだけで、ユーザ毎、動作モード毎の詳細なカウンタ表を管理することができる。
【００７１】
本実施の形態によれば、複合機１００において、該複合機１００を使用したユーザのユーザＩＤ、該複合機１００の動作モード、及び該複合機１００の排紙枚数を履歴情報８０４としてメモリ２１６に蓄積し、ホストコンピュータ１１からの履歴情報取得ジョブの要求に基づき（ステップＳ１０１）、履歴情報８０４をホストコンピュータ１１に送信し（ステップＳ１０５）、ホストコンピュータ１１において、複合機１００から取得した履歴情報８０４を動作モード別排紙カウンタ表８００として展開管理するので、複合機１００のメモリ容量を増やしてコストアップさせることなく複合機１００の使用状況をユーザ毎又は動作モード毎に記憶し、その使用状況をきめ細かく集計管理して課金することができる。
【００７２】
【発明の効果】
以上詳細に説明したように、請求項１記載の周辺機器制御システムによれば、周辺機器は、履歴情報蓄積手段が前記ジョブに設定された複数の設定内容及び排紙枚数を含む履歴情報を蓄積し、情報処理装置は、履歴情報取得手段が履歴情報蓄積手段により蓄積された履歴情報を周辺機器から取得し、記憶手段が履歴情報取得手段により取得した履歴情報のうち前記複数の設定内容を１つの動作モードとして、当該動作モード毎に動作モード別排紙カウンタ表に記憶するので、周辺機器のメモリ容量を増やすことなく、周辺機器の所定の使用状況をユーザ毎又は動作モード毎に記憶することができる。
【００７３】
また、請求項２記載の周辺機器制御システムによれば、動作モードは、ジョブに設定された紙サイズ、片面／両面の印刷モード、トナー色、及び紙種のうちの少なくとも２つの設定内容に対応する動作モードであるので、周辺機器から情報処理装置に確実に履歴情報を送信することができる。
【００７４】
また、請求項３記載の周辺機器制御システムによれば、周辺機器は、ジョブ受付手段が情報処理装置から送信された履歴情報取得ジョブを受け付け、送信手段がジョブ受付手段により受け付けた履歴情報取得ジョブに応じて蓄積した履歴情報を送信するので、周辺機器から情報処理装置に確実に履歴情報を送信することができる。
【００７５】
また、請求項４記載の周辺機器制御システムによれば、周辺機器は、通知手段が履歴情報蓄積手段により蓄積した履歴情報の蓄積量を情報処理装置へ通知するので、情報処理装置が適当なタイミングで履歴情報を取得することができる。
【００７６】
また、請求項５記載の周辺機器制御システムによれば、通知手段は、蓄積量が所定量に達したとき情報処理装置に通知するので、周辺機器のメモリ容量を使い切ってしまうことを防止できる。
また、請求項７記載の情報処理装置及び請求項１３記載の情報処理方法によれば、周辺機器により実行されるジョブに設定された複数の設定内容及び排紙枚数を含む履歴情報を当該周辺機器から取得し、取得した履歴情報のうち複数の設定内容を１つの動作モードとして、当該動作モード毎に動作モード別排紙カウンタ表に記憶するので、周辺機器のメモリ容量を増やすことなく、周辺機器の所定の使用状況をユーザ毎又は動作モード毎に記憶することができる。
また、請求項８記載の情報処理装置及び請求項１４記載の情報処理方法によれば、動作モードは、ジョブに設定された紙サイズ、片面／両面の印刷モード、トナー色、及び紙種のうちの少なくとも２つの設定内容に対応する動作モードであるので、周辺機器から情報処理装置に確実に履歴情報を送信することができる。
また、請求項９記載の情報処理装置及び請求項１５記載の情報処理方法によれば、周辺機器に蓄積された履歴情報を取得するための履歴情報取得ジョブを周辺機器に送信し、送信された履歴情報取得ジョブに応じて周辺機器から履歴情報を受信するので、周辺機器から情報処理装置に確実に履歴情報を送信することができる。
また、請求項１０記載の情報処理装置及び請求項１６記載の情報処理方法によれば、情報処理装置が周辺機器から履歴情報の蓄積量を受信するので、情報処理装置が適当なタイミングで履歴情報を取得することができる。
また、請求項１１記載の情報処理装置及び請求項１７記載の情報処理方法によれば、履歴情報の蓄積量が所定量に達したときは周辺機器から情報処理装置へ通知するので、周辺機器のメモリ容量を使い切ってしまうことを防止することができる。
【図面の簡単な説明】
【図１】本発明に係る周辺機器制御システムの全体を示す構成図である。
【図２】図１の複合機１００の概略構成を示す断面図である。
【図３】図１のリーダ部１の構成を示すブロック図である。
【図４】図１のコア部１０の構成を示すブロック図である。
【図５】図３の画像処理部２１１の詳細な構成を示すブロック図である。
【図６】図１の複合機１００の操作部５００上の液晶表示パネルに表示される初期画面を示す説明図である。
【図７】図６の初期画面においてユーザＩＤ及び暗証番号の認証後に表示される基本画面を示す説明図である。
【図８】図１の複合機１００が記憶する履歴情報の１レコードを示す概略図である。
【図９】図１の複合機１００における履歴情報の送信手順を示すフローチャートである。
【図１０】図１のホストコンピュータ１１における履歴情報を展開した動作モード別排紙カウンタ表を示す概略図である。
【符号の説明】
１  リーダ部
２  プリンタ部
３  画像入出力制御部
７  ネットワークインターフェイス部
１０  コア部
１１  ホストコンピュータ
１００  複合機
２１１  画像処理部
２１４，３２３  ＣＰＵ
２１６，３２４  メモリ
５００  操作部
【図１】
0003862459.tif 000002
【図２】
0003862459.tif 000003
【図３】
0003862459.tif 000004
【図４】
0003862459.tif 000005
【図５】
0003862459.tif 000006
【図６】
0003862459.tif 000007
【図７】
0003862459.tif 000008
【図８】
0003862459.tif 000009
【図９】
0003862459.tif 000010
【図１０】
0003862459.tif 000011